(57)【要約】      （修正有） 【課題】透明なＣＤ，ＤＶＤ，ＭＤ等の 電子媒体収納ケースを活用して、デザイン性の高い照明装置を提供する。【解決手段】透明なＣＤ，ＤＶＤ，ＭＤ等の電子媒体を収納する透明ケース１０内空間、又はケース内部空間に、ケース内部に二重にセットされた 透明なＣＤ，ＤＶＤ，ＭＤ等の固定用取り外し可能なプラスチック盤面２０の裏面より、ＬＥＤ１２を導電テープ又は導電線でセットする。又照明装置に関して上述の方法で作られた透明なＣＤ，ＤＶＤ，ＭＤ等の電子媒体収納ケースを一つのパーツとして任意の枚数の 透明なＣＤ，ＤＶＤ，ＭＤ等の電子媒体収納ケースを挟み込み照明装置として構成する。【選択図】図１
0003149927.tif 000002
【実用新案登録請求の範囲】
【請求項１】
透明なCD, DVD, MD, 等の電子媒体を収納する透明ケース内の上蓋開閉の為に作られたアソビ空間、又はケース内部空間に二重にセットされたCD, DVD, MD, 等の固定用取り外し可能なプラスチック盤面の裏面に、LEDを導電テープ又は導電線で通電、固定又はセットし、ケースの透明部分の光の反射屈折を利用して発光する照明装置。
【請求項２】
上記請求項第1項において作られた照明装置を一つのパーツとして、任意の枚数の透明な CD, DVD, MD, 等の電子媒体収納ケースに挟み込み一体化させた照明装置。
【請求項３】
上記請求項第2項において、パーツを挟む位置、パーツの数、LEDの色の種類、挟み込む CD, DVD, MD, 等の電子媒体収納ケースの枚数等、条件を変える事が可能である照明装置。
【請求項４】
上記請求項第2項において、CD本体を装置の最背面及び任意により最前面にCDの書き込み面を反射面としてセットし、装置全体の光の反射面とするLED装置付き CD, DVD, MD, 等の電子媒体収納ケースによる照明装置。
【請求項５】
上記請求項第2項において、透明な反射面を任意の枚数、CD, DVD, MD, 等の電子媒体収納ケース内にセットする事で光を調整する照明装置。
【請求項６】
上述の請求項２項において、装置の前面に文字、マーク、ロゴ、イラストを入れる事により特別の役割を持つ照明となる。
【考案の詳細な説明】
【技術分野】
【０００１】
本考案はCD, DVD, MD ,等の電子媒体収納ケース及びLED使用照明装置に関する技術を組み合わせたものである。
【背景技術】
【０００２】
CD, DVD, MD, 等の電子媒体の保護と保存を目的として作られたケースは、透過性あるプラスチックで製造されている。又LEDを用いた照明装置は広く一般的技術として知られている。  
【考案の開示】
【考案が解決しようとする課題】
【０００３】
本考案は、透明な CD, DVD, MD, 等の 電子媒体収納ケースにLEDを装置する事により、CD, DVD, MD, 等の電子媒体 収納ケースの材質及びケース特有の形状による反射面に、反射、屈折する光を視覚的に強調し、照明装置とするものである。  
【課題を解決するための手段】
【０００４】
透明な CD, DVD, MD ,等の電子媒体を収納する透明ケース内の上蓋開閉の為に作られたアソビ空間及びケース内部空間に、ケース内部に二重にセットされたCD, DVD, MD,固定用取り外し可能な透明プラスチック盤面に、裏面よりLEDを任意の数、任意の場所に導電テープ又は導電線で固定又はセットし、ケースの透明部分に光を反射屈折させる。特に光の反射屈折を考える時、各 CD, DVD, MD,等の固定用盤面の段差面が、より効果的であるが色々な場所、数の組み合わせが可能である。
【０００５】
上述の方法で作られたCD, DVD, MD, 等の電子媒体収納ケースを一つのパーツとして、任意の枚数のCD, DVD, MD, 等の電子媒体収納ケースを挟み込む。パーツを挟む位置パーツの数、ledの色の種類、挟み込む CD, DVD, MD ,等の電子媒体収納ケースの枚数等、条件により異なった光の強さ、照明装置の大きさの実現が可能となる。又CD本体を装置の最背面及び任意により最前面にCDの書き込み面を反射面としてセットし、装置全体の光の反射面とする。又別途、透明な反射面を任意の枚数、CD, DVD, MD ,等の電子媒体収納ケース内にセットする事で、光の調整をすることができる。
【０００６】
上述の装置全体を透明又は半透明なカバー全体で覆う事で装置全体を一体化し、柔らかな光を実現出来る。
【０００７】
上述の装置の前面に文字、マーク、ロゴ、イラストを入れる事により特別の役割を持つ照明となる。
【考案の効果】
【０００８】
透明なCD, DVD, MD, 等の電子媒体収納ケースに、新しい光と言うデザイン性を付加する事により商品価値を上げる事が出来る。LEDは、CD, DVD, MD, 等の透明な電子媒体収納ケースの内部形状に反射し、視覚的又は空間的に演出効果があり照明装置として使用出来る。又使用済みのCD, DVD, MD, 等の再利用としての意味も考えられる。
【考案を実施するための最良の形態】
【０００９】
透明な CD DVD MD 等の電子媒体を収納する透明ケース10内の上蓋開閉の為に作られたアソビ空間11及びケース内部空間に、ケース内部に二重にセットされた CD DVD MD固定用取り外し可能な透明プラスチック盤面20に裏面よりLEDチップ又はLED12を任意の数、任意の場所に導電テープで固定又はセットしてケースの透明部分に光を反射屈折させる。特に光の反射屈折を考える時、各 CD DVD MDのアソビ空間の為の段差面21が、より効果的であるが色々な場所  数の組み合わせが可能である。  
【００１０】
上述の方法で作られたCD DVD MD 等の電子媒体収納ケース10を1つのパーツとして任意の枚数の CD DVD MD 等の電子媒体収納ケース31、33、35を挟み込む。パーツを挟む位置、パーツの数、LEDの色の種類、挟み込む CD, DVD, MD, 等の電子媒体収納ケースの枚数等、任意である。又CD本体を装置の最背面35又は任意により最前面31にCDの書き込み面を班斜面としてセットする。又別途透明な反射面のを任意の枚数をCD DVD MD 等の電子媒体収納ケース内38にセットする。
【００１１】
上述の装置全体を半透明なカバー全体で覆う。
【００１２】
上述の装置の前面に文字、マーク、  ロゴ、イラストを入れる。
【実施例】
【００１３】
CDケースの上述箇所に、青色Ledチップを3カ所直列に繋ぎ、9Vアルカリ電池を電源とした。
【産業上の利用可能性】
【００１４】
CD DVD MD 等の店頭での商品の宣伝用デスプレイ
室内、ホテル、店舗等の商業空間の間接照明、
夜間安全灯等の商品展開
空のCDの再利用
【図面の簡単な説明】
【００１５】
【図１】は本考案の実施例による3個のLEDを用いたCDを模式的に示す図面である。
【図２】CD である。
【図３】は図1、図2をパーツとする照明装置模式図である。
【符号の説明】
【００１６】
10  CDケース
11  透明ケース内の上蓋開閉の為に作らられたアソビ空間
12  LEDチップ又はLED
20  ケース内部に二重にセットされたCD固定用取り外し可能なプラスチック面
21  CD固定用取り外し可能なプラスチック盤面のアソビ空間の為の段差面
22  23  導電用リード線
30  10をパーツとする照明装置
31.33.35  透明な CD DVD MD 等の電子媒体を収納ケース
32.34  10をパーツとする透明な CD DVD MD 等の電子媒体を収納ケース
36.37  電源へのリード線
38  透明な CD DVD MD 等の電子媒体を収納ケース内部  
39  電源
【図１】
0003149927.tif 000003
【図２】
0003149927.tif 000004
【図３】
0003149927.tif 000005
【手続補正書】
【提出日】平成20年12月3日(2008.12.3)
【手続補正１】
【補正対象書類名】実用新案登録請求の範囲
【補正対象項目名】請求項１
【補正方法】変更
【補正の内容】
【請求項１】
透明なCD, DVD, MD, 等の電子媒体を収納する透明ケース内の、上蓋開閉の為に作られた
アソビ空間又は、ケース内部空間に二重にセットされたCD, DVD, MD, 等の固定用取り外
し可能な透明プラスチック盤面の裏面に、LEDを固定又はセットし、ケースの透明部分の
反射屈折を利用して発光する照明装置。
【手続補正２】
【補正対象書類名】明細書
【補正対象項目名】０００４
【補正方法】変更
【補正の内容】
【０００４】
透明な CD, DVD, MD ,等の電子媒体を収納する透明ケース内の、上蓋開閉の為に作られた
アソビ空間又は、ケース内部空間に二重にセットされたCD, DVD, MD, 等の固定用取り外
し可能な透明プラスチック盤面の裏面に、LEDを任意の数、任意の場所に固定又はセットし、ケースの透明部分に光を反射屈折させる。特に光の反射屈折を考える時、各 CD,DVD, MD,等の固定用盤面の段差面がより効果的であるが、色々な場所、数の組み合わせが可能である。
【手続補正書】
【提出日】平成21年2月6日(2009.2.6)
【手続補正１】
【補正対象書類名】実用新案登録請求の範囲
【補正対象項目名】全文
【補正方法】変更
【補正の内容】
【実用新案登録請求の範囲】
【請求項１】
透明なCD, DVD, MD, 等の電子媒体を収納する透明ケース内の。上蓋開閉の為に作られたアソビ空間又は、ケース内部空間に二重にセットされたCD, DVD, MD, 等を固定する為の取り外し可能な透明プラスチック盤面の裏面に、LEDを固定又はセットし、ケースの透明部分の反射屈折を利用して発光する照明装置。
【請求項２】
請求項1において作られた照明装置を一つのパーツとして、任意の枚数の透明な  CD, \DVD, MD, 等の電子媒体収納ケースに挟み込み一体化させた照明装置。
【請求項３】
請求項2において、パーツを挟む位置、パーツの数、LEDの色の種類、挟み込むCD, DVD, MD, 等の電子媒体収納ケースの枚数等、条件を変える事が可能である照明装置。
【請求項４】
請求項2において、CD, DVD, MD, 等の電子媒体を装置の最背面または最前面にCD, DVD, MD, 等の電子媒体の書き込み面を反射面としてセットし、装置全体の光の反射面とするLED装置付き CD, DVD, MD, 等の電子媒体収納ケースによる照明装置。
【請求項５】
請求項2において、透明な反射面を任意の枚数、CD, DVD, MD, 等の電子媒体収納ケース内にセットする事で光を調整する照明装置。
【請求項６】
請求項２において、装置の前面に文字、マーク、ロゴ、イラストを入れた照明装置。